(57)【要約】【課題】直感的に原稿画像の拡大／縮小比率を調整することできると共に容易に画像形成媒体上の所望の位置に画像形成することができ、さらに容易に原稿画像の所望の箇所のみの拡大／縮小することが出来る画像形成装置を提供することを目的とする。【解決手段】画像形成装置が、画像読取部が読み取った原稿画像の画像形成状態を示すプレビュー画像を表示部に表示する画像形成装置であって、操作指示を受け付ける操作部と、前記プレビュー画像を画像形成媒体の縁辺を示す媒体枠と重ねて前記表示部に表示させ、前記操作部が前記プレビュー画像の縁辺を示すプレビュー画像枠の移動の操作指示を受け付けると、前記プレビュー画像枠の移動量に応じて前記プレビュー画像を拡大または縮小させる制御部を具備する。【選択図】図１
2009232154.tif 000002
【特許請求の範囲】
【請求項１】
画像読取部が読み取った原稿画像の画像形成状態を示すプレビュー画像を表示部に表示する画像形成装置であって、
操作指示を受け付ける操作部と、
前記プレビュー画像を画像形成媒体の縁辺を示す媒体枠と重ねて前記表示部に表示させ、前記操作部が前記プレビュー画像の縁辺を示すプレビュー画像枠の移動の操作指示を受け付けると、前記プレビュー画像枠の移動量に応じて前記プレビュー画像を拡大または縮小させる制御部を具備することを特徴とする請求項１記載の画像形成装置。
【請求項２】
前記操作部は、前記表示部の画面上の座標を指示するポインティングデバイスであり、
前記制御部は、前記ポインティングデバイスによって前記プレビュー画像枠がドラッグ及びドロップされると、前記原稿画像枠の移動量に応じて前記プレビュー画像を拡大または縮小させることを特徴とする請求項１記載の画像形成装置。
【請求項３】
前記操作部は、前記表示部の画面上の方向を指示する方向指示キーと移動量を指示する移動量指示キーとを備え、
前記制御部は、前記方向指示キーと移動量指示キーとによって前記プレビュー画像枠の移動方向と移動量が指示されると、当該移動方向と移動量とに応じて前記プレビュー画像を拡大または縮小させることを特徴とする請求項１記載の画像形成装置。
【発明の詳細な説明】
【技術分野】
【０００１】
本発明は、画像形成装置に関する。
【背景技術】
【０００２】
下記特許文献１には、原稿画像に基づく記録媒体上の印字を示すコピー画面を表示し、ユーザは倍率調整によってこのコピー画面を所望の印刷レイアウトになるように調整するが出来る画像形成装置が開示されている。この画像形成装置において、操作部はコピー画面確認キーとコピー倍率調整キーとを備え、ＭＰＵ（Micro Processing Unit）は、コピー画面確認キーの操作によって記録紙を示す記録紙画面に画像読取り部が読取った原稿画像を重ねたコピー画面を表示部に表示させ、さらにコピー倍率調整キーの操作に基づきコピー画面における原稿画像の表示倍率を変更し、操作部が印字指示を受け付けると当該表示倍率に基づいて画像形成を実行する。
【特許文献１】特開２００３−３１９１４４号公報
【発明の開示】
【発明が解決しようとする課題】
【０００３】
ところで、上記従来技術では、原稿画像を拡大／縮小コピーするために拡大／縮小比率を数値として入力する必要があるが、このような方法では、拡大／縮小比率を予め計算する必要があり、原稿画像の拡大／縮小を直感的に調整することが出来ない。
また、上記従来技術では、原稿画像は、印刷用紙上の予め決められた位置に画像形成される為、原稿画像を印刷用紙上の所望の位置に画像形成させることが出来ない。したがって、ユーザが原稿画像を縮小コピーして原稿画像枠外にコメントを記載することを望む場合に、コメントを記載したい場所に原稿画像が画像形成されているために、ユーザはその他の場所にコメントを記載することを強いられるという不都合が生じる。
さらに、上記従来技術では、ユーザが原稿画像の一部分のみの拡大／縮小コピーを望んだとしても、そのようなことは出来ない。その為、原稿画像の一部分のみの拡大／縮小コピーを望む場合に、ユーザは原稿の所望の箇所をはさみ等によって切り抜いて、この切り抜いた箇所を拡大／縮小コピーしなければならず、手間がかかってしまう。
【０００４】
本発明は、上述した事情に鑑みてなされたものであり、直感的に原稿画像の拡大／縮小比率を調整することできると共に容易に画像形成媒体上の所望の位置に画像形成することができ、さらに容易に原稿画像の所望の箇所のみの拡大／縮小することが出来る画像形成装置を提供することを目的とする。
【課題を解決するための手段】
【０００５】
上記目的を達成するために、本発明では、画像形成装置に係る第１の解決手段として、画像読取部が読み取った原稿画像の画像形成状態を示すプレビュー画像を表示部に表示する画像形成装置であって、操作指示を受け付ける操作部と、前記プレビュー画像を画像形成媒体の縁辺を示す媒体枠と重ねて前記表示部に表示させ、前記操作部が前記プレビュー画像の縁辺を示すプレビュー画像枠の移動の操作指示を受け付けると、前記プレビュー画像枠の移動量に応じて前記プレビュー画像を拡大または縮小させる制御部を具備するという手段を採用する。
【０００６】
本発明では、画像形成装置に係る第２の解決手段として、上記第１の解決手段において、前記操作部は、前記表示部の画面上の座標を指示するポインティングデバイスであり、前記制御部は、前記ポインティングデバイスによって前記プレビュー画像枠がドラッグ及びドロップされると、前記原稿画像枠の移動量に応じて前記プレビュー画像を拡大または縮小させるという手段を採用する。
【０００７】
本発明では、画像形成装置に係る第３の解決手段として、上記第１の解決手段において、記操作部は、前記表示部の画面上の方向を指示する方向指示キーと移動量を指示する移動量指示キーとを備え、前記制御部は、前記方向指示キーと移動量指示キーとによって前記プレビュー画像枠の移動方向と移動量が指示されると、当該移動方向と移動量とに応じて前記プレビュー画像を拡大または縮小させるという手段を採用する。
【発明の効果】
【０００８】
本発明によれば、制御部がプレビュー画像を画像形成媒体の縁辺を示す媒体枠と重ねて表示部に表示させ、前記操作部がプレビュー画像の縁辺を示すプレビュー画像枠の移動の操作指示を受け付けると、前記プレビュー画像枠の移動量に応じて前記プレビュー画像を拡大または縮小させる為、ユーザは直感的に画像形成媒体に形成される画像の拡大／縮小比率を調整することできる。また、ユーザは、プレビュー画像枠を移動させることによって、容易に画像形成媒体上の所望の位置に画像形成することができると共に容易に原稿画像の所望の箇所のみの拡大／縮小したものを画像形成媒体上に画像形成することが出来る。
【発明を実施するための最良の形態】
【０００９】
以下、図面を参照して、本発明の一実施形態について説明する。本発明の画像形成装置の一つである複写機能及び印刷機能を有する複合機に関する。図１は本実施形態に係る複合機Ａの機能ブロック図である。複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９及び操作表示部１０を備えている。
【００１０】
ＣＰＵ１は、ＲＯＭ２に記憶されている制御プログラム、画像データ記憶部７に記憶されている原稿画像データ、通信Ｉ／Ｆ部９を介して外部機器から入力される印刷指示、操作表示部１０から入力される操作指示に基づいて複合機Ａの全体動作を制御する。このＣＰＵ１の制御処理の詳細については、以下に複合機Ａの動作として説明する。
ＲＯＭ２は、ＣＰＵ１で実行される制御プログラム及びその他のデータを記憶する不揮発性メモリである。
ＲＡＭ３は、ＣＰＵ１が制御プログラムを実行して各種動作を行う際に、データの一時保存先となるワーキングエリアとして用いられる揮発性メモリである。
【００１１】
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データを画像データ記憶部７に記憶させる。
【００１２】
画像データ記憶部７は、例えばフラッシュメモリであり、ＣＰＵ１の要求に応じて原稿画像データを記憶する一方、原稿画像データをＣＰＵ１に出力する。
画像形成部８は、ＣＰＵ１の制御の下、画像データ記憶部７に記憶されている原稿画像データに基づいて、用紙搬送部５から搬送される印刷用紙にトナーによって形成される印刷画像を転写し、当該印刷画像の定着処理を行う。
通信Ｉ／Ｆ部９は、図示しないパーソナルコンピュータ等の外部機器との間で各種信号の送受信を行い、ローカルエリアネットワークによって上記外部機器と接続されている。
【００１３】
操作表示部１０は、スタートキー、ストップキー、電源キー、テンキー（数値入力キー）、タッチパネル１０ａ、クリアキーやその他の各種操作キー、を備えており、それぞれのキーの操作指示をＣＰＵ１に出力すると共に、ＣＰＵ１の制御の下、タッチパネル１０ａに印刷プレビュー画面等の種々の画面を表示する。
【００１４】
次に、上記のように構成された本実施形態に係る複合機Ａの動作について図２を参照して詳しく説明する。図２は、本実施形態に係る複合機Ａの動作を示すフローチャートである。
複合機Ａによって原稿を複写しようとするユーザは、原稿を上記ＡＤＦにセットし、操作表示部１０が備えるスタートキーを押下する。
ＣＰＵ１は、操作表示部１０がスタートキーの押下による印刷開始指示を受け付けたか否か判定し（ステップＳ１）、ステップＳ１において『ＮＯ』と判定した場合には、すなわち操作表示部１０が印刷開始指示を受け付けていないと判定した場合には、操作表示部１０が印刷指示を受け付けるまで待機する。
【００１５】
ＣＰＵ１は、ステップＳ１において『ＹＥＳ』と判定した場合には、すなわち操作表示部１０が印刷開始指示を受け付けたと判定した場合には、ＡＤＦへセットされている原稿の原稿画像を画像読取部６に読み取らせ（ステップＳ２）、画像読取部６から入力される原稿画像データに基づいて印刷プレビュー画面をタッチパネル１０ａに表示させる（ステップＳ３）。
【００１６】
図３は、タッチパネル１０ａがステップＳ３において表示する印刷プレビュー画面及び当該印刷プレビュー画面に従って実行される画像形成の結果を示す図である。上記ステップＳ３においてタッチパネル１０ａが表示する印刷プレビュー画面ついて図３の（ａ）を参照して説明する。図３の（ａ）に示すように、印刷プレビュー画面には、印刷用紙の縁辺を示す印刷用紙枠に原稿画像データに基づくプレビュー画像が重なって表示される。そして、ステップＳ３における印刷プレビュー画面では、印刷用紙枠とプレビュー画像の縁辺（プレビュー画像枠）は一致している。このプレビュー画像枠は、ドラッグ操作によって拡大または縮小する。なお、印刷プレビュー画面には、現状のプレビュー画像に従った印刷実行指示を受け付ける為の印刷実行ボタンが表示されている。
【００１７】
ＣＰＵ１は、ステップＳ３の後にタッチパネル１０ａが表示する印刷プレビュー画面のプレビュー画像枠がドラッグ操作によって拡大または縮小したか否か判定し（ステップＳ４）、ステップＳ４において『ＮＯ』と判定した場合には、すなわち印刷プレビュー画面のプレビュー画像枠は拡大及び縮小していないと判定した場合には、操作表示部１０が印刷実行ボタンの押下による印刷実行指示を受け付けたか否か判定し（ステップＳ５）、ステップＳ５において『ＮＯ』と判定した場合には、すなわち操作表示部１０が印刷実行指示を受け付けていないと判定した場合には、印刷実行指示を受け付けるまで待機し、ステップＳ５において『ＹＥＳ』と判定した場合には、すなわち操作表示部１０が印刷実行指示を受け付けたと判定した場合には、タッチパネル１０ａが表示する印刷プレビュー画面のプレビュー画像に従って画像形成部８に印刷用紙上に印刷画像を画像形成させる（ステップＳ６）。
【００１８】
上記ステップＳ６において図３の（ａ）に示す印刷プレビュー画面のプレビュー画像に従って実行される画像形成の結果について図３の（ｂ）を参照して説明する。図３は（ｂ）は、図３の（ａ）に示す印刷プレビュー画面のプレビュー画像に従って実行された画像形成の結果を示している。図３の（ａ）の印刷プレビュー画面のプレビュー画像に従って実行される画像形成では、図３の（ｂ）に示すように印刷用紙の縁辺と印刷画像の縁辺が一致した状態の印刷結果となる。
【００１９】
ＣＰＵ１は、ステップＳ４において『ＹＥＳ』と判定した場合には、すなわち印刷プレビュー画面のプレビュー画像枠は拡大また縮小していると判定した場合には、プレビュー画像枠の拡大または縮小した比率に比例してプレビュー画像を拡大または縮小し（ステップＳ７）、ステップＳ５に移行する。
【００２０】
上記ステップＳ７及びプレビュー画像枠が拡大及び／またされた場合のステップＳ６における印刷結果を図４、図５、図６及び図７を参照して具体的に説明する。
図４は、プレビュー画像枠の右下角が左斜め上方向にドラッグされた場合の印刷プレビュー画面及び当該印刷プレビュー画面のプレビュー画像に従って実行された画像形成の結果を示す図である。
図４の（ａ）は、プレビュー画像枠の右下角が左斜め上方向にドラッグされた場合のステップＳ７における印刷プレビュー画面であり、図４の（ｂ）は、図４の（ａ）に示す印刷プレビュー画面に従って実行された画像形成の結果を示している。
【００２１】
図４の（ａ）に示すように、ドラッグ操作によってプレビュー画像枠の右下角が左斜め上方向に移動すると、プレビュー画像枠が縦方向及び横方向に等比率で縮小し、そして上記ステップＳ７においてプレビュー画像はプレビュー画像枠の縮小比率に比例して縦方向及び横方向に縮小する。そして、ステップＳ６において図４の（ａ）の印刷プレビュー画面のプレビュー画像に従って実行される画像形成では、図４の（ｂ）に示すように印刷画像が、図３の（ｂ）と比較して縦方向及び横方向に等比率で縮小した印刷結果となる。
【００２２】
図５は、プレビュー画像枠の右辺が左方向にドラッグされた場合の印刷プレビュー画面及び当該印刷プレビュー画面に従って実行された画像形成の結果を示す図である。
図５の（ａ）は、プレビュー画像枠の右辺が左方向にドラッグされた場合のステップＳ７における印刷プレビュー画面であり、図５の（ｂ）は、図５の（ａ）に示す印刷プレビュー画面に従って実行された画像形成の結果を示している。
【００２３】
図５の（ａ）に示すように、ドラッグ操作によってプレビュー画像枠の右辺が左方向に移動すると、プレビュー画像枠は横方向に縮小し、そして上記ステップＳ７においてプレビュー画像はプレビュー画像枠の縮小比率に比例して横方向に縮小する。そして、ステップＳ６において図５の（ａ）の印刷プレビュー画面のプレビュー画像に従って実行される画像形成では、図５の（ｂ）に示すように印刷画像が、図３の（ｂ）と比較して横方向に縮小した印刷結果となる。
【００２４】
図６は、プレビュー画像枠の右下角が右斜め下方向にドラッグされた場合の印刷プレビュー画面及び当該印刷プレビュー画面のプレビュー画像に従って実行された画像形成の結果を示す図である。図６の（ａ）は、プレビュー画像枠の右下角が右斜め下方向にドラッグされた場合のステップＳ７における印刷プレビュー画面であり、図６の（ｂ）は、図６の（ａ）に示す印刷プレビュー画面に従って実行された画像形成の結果を示している。
【００２５】
図６の（ａ）に示すように、ドラッグ操作によってプレビュー画像枠の右下角が右斜め下方向に移動すると、プレビュー画像枠が縦方向及び横方向に等比率で拡大し、そして上記ステップＳ７においてプレビュー画像はプレビュー画像枠の拡大比率に比例して縦方向及び横方向に拡大する。
そして、ステップＳ６において図６の（ａ）の印刷プレビュー画面のプレビュー画像に従って実行される画像形成では、図６の（ｂ）に示すように印刷画像が、図３の（ｂ）と比較して縦方向及び横方向に等比率で拡大している。そして、印刷画像の右端及び下端あたりは、印刷用紙をはみ出す為に、印刷用紙に印刷されない。
【００２６】
図７は、プレビュー画像枠の左上角及び右下角が右斜め下方向にドラッグされた場合の印刷プレビュー画面及び当該印刷プレビュー画面のプレビュー画像に従って実行された画像形成の結果を示す図である。
図７の（ａ）は、プレビュー画像枠の左上角及び右下角を右斜め下方向にドラッグされた場合のステップＳ７における印刷プレビュー画面であり、図７の（ｂ）は、図７の（ａ）に示す印刷プレビュー画面のプレビュー画像に従って実行された画像形成の結果を示している。
【００２７】
図７の（ａ）に示すように、ドラッグ操作によってプレビュー画像枠の左上角及び右下角が右斜め下方向に移動すると、プレビュー画像枠では、左上角の右斜め下方向への移動によって縦方向及び横方向に等比率で縮小する共に右下角の右斜め下方向への移動によって縦方向及び横方向に等比率で拡大する。すなわち、ステップＳ７においてプレビュー画像全体は、右斜め下方向に移動したものに近い状態となる。
【００２８】
そして、ステップＳ６において図７の（ａ）の印刷プレビュー画面のプレビュー画像に従って実行される画像形成では、図７の（ｂ）に示すように印刷画像が、図３の（ｂ）と比較して印刷画像全体右斜め下方向に移動した状態に近い印刷結果となる。印刷画像の左上角の印刷開始位置は、図３の（ｂ）と比較して右斜め下方向に移動し、印刷画像の右端及び下端あたりの印刷用紙をはみ出す領域は、印刷用紙に印刷されない。
【００２９】
以上のように、本実施形態に係る複合機Ａでは、ＣＰＵ１が、タッチパネル１０ａの印刷プレビュー画面上に印刷用紙枠及びプレビュー画像を表示させ、ドラッグ操作によってプレビュー画像の枠を拡大及び／縮小することによって、プレビュー画像を拡大及び／または縮小させる為、ユーザは直感的に印刷用紙上に形成される印刷画像の拡大／縮小比率を調整することできる。また、ユーザは、ドラッグ操作によってプレビュー画像枠を拡大／縮小することによって、容易に印刷用紙上の所望の位置に画像形成することができると共に容易に原稿画像の所望の箇所のみの拡大／縮小したものを印刷用紙上に画像形成することが出来る。
【００３０】
以上、本発明の一実施形態について説明したが、本発明は上記実施形態に限定されることなく、例えば以下のような変形が考えられる。
（1）上記実施形態では、ドラッグ操作によってプレビュー画像枠の拡大及び／または縮小したが、本発明はこれに限定されない。
例えば、操作表示部が備える方向キーの操作によって、原稿画像枠の拡大及び／または縮小をしてもよい。
【図面の簡単な説明】
【００３１】
【図１】本発明の一実施形態に係る複合機Ａの機能ブロック図である。
【図２】本発明の一実施形態に係る複合機Ａの動作を示すフローチャートである。
【図３】本発明の一実施形態に係る複合機Ａのタッチパネル１０ａがステップＳ３において表示する印刷プレビュー画面及び当該印刷プレビュー画面のプレビュー画像に従って実行される画像形成の結果を示す図である。
【図４】本発明の一実施形態に係る複合機Ａのタッチパネル１０ａが表示する原稿画像枠が右下角を右斜め上方向にドラッグされた場合の印刷プレビュー画面及び当該印刷プレビュー画面のプレビュー画像に従って実行された画像形成の結果を示す図である。
【図５】本発明の一実施形態に係る複合機Ａのタッチパネル１０ａが表示する原稿画像枠の右辺が左方向にドラッグされた場合の印刷プレビュー画面及び当該印刷プレビュー画面のプレビュー画像に従って実行された画像形成の結果を示す図である。
【図６】本発明の一実施形態に係る複合機Ａのタッチパネル１０ａが表示する原稿画像枠の右下角が右斜め下方向にドラッグされた場合の印刷プレビュー画面及び当該印刷プレビュー画面のプレビュー画像に従って実行された画像形成の結果を示す図である。
【図７】本発明の一実施形態に係る複合機Ａのタッチパネル１０ａが表示する原稿画像枠の左上角及び右下角が右斜め下方向にドラッグされた場合の印刷プレビュー画面及び当該印刷プレビュー画面のプレビュー画像に従って実行された画像形成の結果を示す図である。
【符号の説明】
【００３２】
Ａ…複合機、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル、
【図１】
2009232154.tif 000003
【図２】
2009232154.tif 000004
【図３】
2009232154.tif 000005
【図４】
2009232154.tif 000006
【図５】
2009232154.tif 000007
【図６】
2009232154.tif 000008
【図７】
2009232154.tif 000009